(57)【要約】      （修正有）【課題】ロングネックレスを収容しても絡むことのないロングネックレス用ケースの中板ユニットを提供する。【解決手段】中板ユニット１は、中板２と可動式留め具３とからなる。中板２は、表面に、一方の短辺の端部の両端近くに２個の斜め外向きの掛け爪と、中央付近に２個の左右外向きの押さえ爪がそれぞれ固定され、さらに一方の短辺の端部につまみ８が取り付けられ、他方の端部１８に２つの溝９、１０が設けられ、裏面１６に、その中央に長方形の面ファスナーの一方１１が接着されている。可動式留め具３は、長方形の面ファスナーの一方１１に着脱可能に係合することができる面ファスナーの他方が取り付けられ、この面ファスナーの他方を設けた面とは反対側の面に一対の面ファスナーが接着され、折り曲げると着脱可能にロングネックレスを挟んで保持することができる。【選択図】図３
0003184530.tif 000002
【実用新案登録請求の範囲】
【請求項１】
ロングネックレス（２２）を収容するロングネックレス用ケース（２３）の中に入り、ロングネックレス（２２）を保持する長方形の中板（２）と可動式留め具（３）とからなる中板ユニット（１）において、該中板（２）は、表面（１５）に、一方の短辺の端部（１７）の両端近くに２個のそれぞれ斜め外向きの掛け爪（４，５）が固定されているとともに、中央付近に２個の左右に外向きの押さえ爪（６、７）がそれぞれ固定され、さらに一方の短辺の端部（１７）につまみ（８）が取り付けられ、一方の短辺の端部（１７）とは反対側の端部（１８）に間隔を空けて２つの溝（９、１０）が設けられ、裏面（１６）に、その中央に長方形の面ファスナーの一方（１１）が接着されており、該可動式留め具（３）は、該長方形の面ファスナーの一方（１１）に着脱可能に係合することができる面ファスナーの他方（１２）が取り付けられ、この面ファスナーの他方（１２）が設けられた面とは反対の面（１９）に一対の面ファスナー（１３、１４）が接着され、折り曲げるとロングネックレスを挟んで着脱可能に保持することができるものであることを特徴とする中板ユニット。
【請求項２】
上記可動式留め具（３）が複数個備えられていることを特徴とする請求項１記載の中板ユニット。
【請求項３】
上記中板の押さえ爪（６、７）と２つの溝（９、１０）との間に輪ゴムが装着されていることを特徴とする請求項１又は請求項２記載の中板ユニット。
【考案の詳細な説明】
【技術分野】
【０００１】  本考案は、ロングネックレスを収容するためのロングネックレス用ケースの中板ユニットに関する。
【背景技術】
【０００２】  従来、ネックレスを保管する場合などには、図１８に示すようにネックレス用ケース２８に入れている。このネックレス用ケース２８は、図１７に示すような中板２９が入ったものである。この中板２９は、長方形をしており、一方の短辺の端部近くにネックレスを掛けるそれぞれ斜め外向きの掛け爪４，５が設けられ、掛け爪４，５が設けられ方の短辺と他方の短辺との中央より他方の短辺寄りに輪ゴム２１が装着されたものである。【０００３】  この従来のネックレス用ケース２８は、図１８に示すようにその中板２の掛け爪４，５に通常の長さ（４５ｃｍ程度）のネックレス２７を掛け、輪ゴム２１でネックレス２７の下部を固定するようにして使用するものである。【０００４】  従来、通常の長さ（４５ｃｍ程度）より長いネックレスは、ロングネックレスと呼ばれ、１１０ｃｍ位までのものがあるが、そのための収容ケースは無かった。そのため通常の長さ（４５ｃｍ程度）用のネックレス用ケース２５を用い、その中板２９に２重や３重に巻いて収容していた。【０００５】  しかし、この方法でロングネックレス２２を収容すると、絡むことがあり、また、たるみやすいので、より一層絡みやすかった。特に連物と呼ばれる何本も束ねて作られたものは非常に絡み易かった。
【考案の概要】
【考案が解決しようととする課題】
【０００６】  本考案は、ロングネックレスを収容しても絡むことのないロングネックレス用ケースの中板ユニットを提供することを課題とするものである。
【課題を解決するための手段】
【０００７】  本考案のロングネックレス用ケース２３の中板ユニット１は、上記課題を解決するためのもので、ロングネックレス２２を収容するロングネックレス用ケース２３の中に入り、ロングネックレス２２を保持する長方形の中板２と可動式留め具３とからなる中板ユニット１において、該中板２は、表面１５に、一方の短辺の端部１７の両端近くに２個のそれぞれ斜め外向きの掛け爪４，５がそれぞれ固定されているとともに、中央付近に２個の左右外向きの押さえ爪６、７がそれぞれ固定され、さらに一方の短辺の端部１７につまみ８が取り付けられ、一方の短辺の端部１７とは反対側の他方の端部１８に２つの溝９、１０が設けられ、裏面１６に、その中央に長方形の面ファスナーの一方１１が接着されたものであり、可動式留め具３は、長方形の面ファスナーの一方１１に着脱可能に係合することができる面ファスナーの他方１２が取り付けられ、この面ファスナーの他方１２を設けた面とは反対側の面（裏面）１９に一対の面ファスナー１３、１４が接着又は取り付けられており、折り曲げると着脱可能にロングネックレスを挟んで保持することができるものであることを特徴とするものである。
【０００８】  さらに、本考案のロングネックレス用ケース２３の中板ユニット１は、上記課題を解決するためのもので、複数の可動式留め具３を備えることを特徴とするものである。
【０００９】  また、本考案のロングネックレス用ケース２３の中板ユニット１は、上記課題を解決するためのもので、中板２の押さえ爪６、７と２つの溝９、１０との間に図１３及び１４に示すように輪ゴム２１を装着することを特徴とするものである。
【考案の効果】
【００１０】  本考案は、中板２の表面と裏面を利用するとともに、可動式留め具３を使用しているので、ロングネックレス２２を２重や３重に掛ける必要がなく、ある程度の張り（テンション）を掛けることができ、ロングネックレス２２が絡むことがなく収容することができるという優れた効果を奏する。
【００１１】  本考案の可動式留め具３を複数個備えるものは、長さの異なる複数本のロングネックレス２２を懸けることができ、絡むことがないという優れた効果を奏する。
【００１２】  また、本考案の中板ユニット１の中板２に、押さえ爪６、７と２つの溝９、１０の間に輪ゴム２１を装着するものは、ロングネックレス２２とともに、通常の長さのネックレス２７にも使用することができるという優れた効果を奏する。
【図面の簡単な説明】
【００１３】
【図１】  中板ユニットの中板の表面の平面図である。
【図２】  中板ユニットの中板の表面の斜視図である。
【図３】  中板ユニットの中板の裏面と可動式留め具の平面図である。
【図４】  中板ユニットの中板の裏面と可動式留め具の斜視図である。
【図５】  中板ユニットの可動式留め具を開いた状態の平面図である。
【図６】  中板ユニットの可動式留め具を開いた状態の裏面の底面図である。
【図７】  中板ユニットの可動式留め具の使用状態の平面図である。
【図８】  中板ユニットの可動式留め具の使用状態の底面図である。
【図９】  中板ユニットにロングネックレスを懸けた状態を示す表面の平面図である。
【図１０】  中板ユニットに比較的短いロングネックレスを懸けた状態を示す裏面の底面図である。
【図１１】  中板ユニットにより長いロングネックレスを懸けた状態を示す裏面の底面図である。
【図１２】  中板ユニットに長さの異なる３本のロングネックレスを懸けた状態を示す裏面の底面図である。
【図１３】  中板ユニットに通常の長さのネックレスとロングネックレスを懸けた状態を示す表面の平面図である。
【図１４】  中板ユニットに通常の長さのネックレスとロングネックレスを懸けた状態を示す裏面の底面図である。
【図１５】  中板ユニットが入るロングネックレス用ケースの斜視図である。
【図１６】  ロングネックレス用ケースに本考案の中板が入った状態の斜視図である。
【図１７】  従来のネックレス用ケースの中板の平面図である。
【図１８】  従来のネックレス用ケースと中板使用状態を示す斜視図である。
【考案を実施するための最良の形態】
【００１４】  本考案のロングネックレス用ケースの中板ユニット１は、ロングネックレス用ケースの中に入り、ロングネックレス２２を保持する長方形の中板２とロングネックレス２２を保した場合にロングネックレス２２にテンションを懸けることができる可動式留め具３とかなるものである。この中板２には、表面１５に、短辺の一方の短辺の端部１７の両端近くに２個のそれぞれ斜め外向きの掛け爪４，５が固定されているとともに、中央付近に２個の左右に外向きの押さえ爪６、７がそれぞれ固定されており、さらに指で摘んでネックレス用ケース２３から中板ユニット１を取り出すためのつまみ８が一方の短辺の端部１７に取り付けられ、上記一方の短辺の端部１７とは反対側の他方の短辺の端部１８にロングネックレス２２を保持した場合に左右に動かないように２つの溝９、１０が設けられている。そして、その裏面１６に、その中央部に長方形の面ファスナーの一方１１が接着されているものである。【００１５】  中板ユニット１を構成する可動式留め具３は、該長方形の面ファスナーの一方１１に着脱可能に係合することができる面ファスナーの他方１２が接着され、この面ファスナーの他方１２を接着した設けた面とは反対面（裏面）１９に一対の面ファスナー１３、１４が接着又は取り付けられており、折り曲げるとロングネックレス２２を挟んで着脱可能に保持することができるものであることを特徴とするものである。【００１６】  本考案のロングネックレス用ケースの中板ユニット１の中板２自体は、紙、プラスチック、紙の表面に布を張ったものなどロングネックレスに傷を付けることがないものであればよいが、上記掛け爪４，５、押さえ爪６，７およびつまみ８を固定するためには、紙の表面に布を張ったものの裏面同士を２枚張り合わせたものが好ましい。【００１７】  中板２に設けられている上記掛け爪４，５および押さえ爪６、７は、ロングネックレス２２を掛けたり、軽く押さえたりするものであるので、表面が硬くなく、変形が容易で変形したらそのままの状態が保てるような材料であればどのような材料のものでも良いが、変形が容易な柔らかい鉄又は極軟鋼に布を張ったものが好ましい。その形状は板状で細長いものである。一部分を中板に設けた穴にさし込み、表側で図２のように折り曲げ、裏側でも折り曲げて粘着テープで張り付けてもよいし、接着材で固定してもよい。【００１８】  つまみ８は、ロングネックレス用ケース２３から中板ユニット１を取り出すためのもので、指で摘んで取り出せるものであれば、タブでもよいし、図２に示すように平たい紐状の布をループ状にしたものなどでもよい。
取付け方法は、中板２に接着材で接着する方法、中板に粘着テープで固定する方法、中板２を２枚張り合わせたものは挟んで固定する方法などがある。
また、取付け位置は、中板２の一方の短辺の端部１７近くであれば何処でもよいが、容易に取り付けられるので、一方の短辺の端部１７が好ましい。【００１９】  反対側の短辺の端部１８に設けられた２つの溝９、１０は、ロングネックレス２２を表面１５から裏面１６に回す時に移動しないようにするためのものであり、間隔を空けて２つ設けられたものである。それぞれの溝９、１０の形状は、ロングネックレスが簡単に左右に移動しないような形状であれば良いが、半円形のものが見た目から好ましい。【００２０】  本考案のロングネックレス用ケース２３の中板ユニット１の中板２の裏面１６側の中央部に接着された長方形の面ファスナー１１は、可動式留め具３に接着された面ファスナー１２と着脱可能に係合することができるものであるが、ループが形成されている面ファスナーの方が柔らかく、ロングネックレス２２に傷を付けることがないので好ましい。【００２１】  長方形の面ファスナー１１の大きさは、長さが７０ｃｍから１１０ｃｍ位までのロングネックレスが固定できるものであり、幅は中板２の幅の１／３程度でもよい。【００２２】  中板ユニット１を構成する可動式留め具３は、長方形又は図５及び６に示すような瓢箪形の布製のもので、ロングネックレス２２を挟んで図７、８及び１０に示すように２つ折りにして使用するものである。この可動式留め具３には、中板２の裏面１６の中央部に接着された長方形の面ファスナー１１に着脱可能に係合することができる面ファスナー１２が、図８に示すように折り曲げた場合に長方形の面ファスナー１１に係合するような位置に取り付けられている。また、折り曲げた場合に折り曲げた状態を保つために内側（裏面１９側）に面ファスナーの一方１３とこの面ファスナー１３に着脱可能に係合することができる面ファスナーの他方１４が接着または取り付けられている。
なお、図５及び図７の符号２０は、使用した場合比較的大きな力が掛かる面ファスナーの他方１４を表側からその爪で固定するためのリング状の金具である。【００２３】  本考案の中板ユニット１を収容するロングネックレス用ケース２３は、通常紙製であり、中板ユニット１が収容できる箱本体２４と蓋２５からなるもので、中板ユニットを収容した時に移動しない程度の大きさである。この箱本体２４には、中板ユニット１にロングネックレス２２を掛けて収容した場合、ロングネックレス２２が箱本体２４の底に接しないようにするため、断面が四角形の弾力性がある棒状体２６、２６が２カ所の長い方の隅に固定されている。このロングネックレス用ケース２３は、箱本体２４を蓋２５が覆うような形式のものでもよいし、箱本体２４と同様な形状の蓋２５とを紙蝶番で繋いだものでもよい。
【実施例１】
【００２４】  中板ユニット１を構成する中板２は、横６ｃｍ、縦３０ｃｍで、他方の短辺の端部１８に２つの溝９，１０を設けた板紙に布を被せた２枚の板からなる。表側になる板の一方の短辺１７の両端近くに斜めの穴を空け、図２に示すような懸け爪４，５を裏側から表側にさし込み、斜め外向きに曲げ、裏側も曲げて表側の板の裏面に粘着テープで固定されている。同様にして中央付近に２個の左右外向きの押さえ爪６、７が固定されている。【００２５】  中板ユニット１を構成する中板２の裏側になる板の裏面側に幅２ｃｍ、長さ２０ｃｍのループが形成された長方形の面ファスナー１１が接着されている。
表側になる板と裏側になる板の裏面同士を短辺の端部１７につまみ８になる平らな紐状の布を曲げて両端を挟んで固定し、中板２とした。【００２６】  中板ユニット１を構成する可動式留め具３は、図５に示すように瓢箪形の布の表側に中板２の裏面に接着した長方形の面ファスナー１１に着脱可能に係合するフックを設けた円形の面ファスナー１２を接着した。また、瓢箪形の布の裏面１９に図６に示すように円形の面ファスナーの一方１３を接着し、円形の面ファスナーの他方１４を金属リング２０の爪を曲げて固定した。【００２７】  実施例の中板ユニット１は、図９と図１０に示すようにして長さ７０ｃｍ程度のロングネックレス２２を保持することができる。さらに、図９と図１１に示すようにして長さ１１０ｃｍ程度のロングネックレス２２を保持することができる。また、図１２に示すようにして長さが異なる複数のロングネックレス２２を保持することができる。【００２８】  また、実施例の中板ユニット１の中板２に、押さえ爪６、７と２つの溝９、１０の間に輪ゴム２１を装着すれば、図１３に示すように通常の長さのネックレス２７にも使用することができるし、図１３と図１４に示すようにロングネックレス２２と通常の長さのネックレス２７の両方を同時に保持することもできる。【００２９】  この実施例の中板ユニット１の中板２は、図１５に示すロングネックレス用ケース２３に図１６に示すように入れて使用するものである。
【産業上の利用可能性】
【００３０】  ロングネックレスを絡むこと無く収容することができるロングネックレス用ケースの中板は、現在まで無かったので、今後多く使用されることになる。
【符号の説明】
【００３１】１  中板ユニット
２  中板
３  可動式留め具
４，５  懸け爪
６，７  押さえ爪
８  つまみ
９，１０  溝
１１  長方形の面ファスナー
１２  面ファスナーの他方
１３，１４  可動式留め具の裏面に接着する面ファスナー
１５  中板の表面
１６  中板の裏面
１７  一方の短辺の端部
１８  他方の端部
１９  可動式留め具の裏面
２０  爪がある金属リング
２１  輪ゴム
２２  ロングネックレス
２３  ロングネックレス用ケース
２４  箱本体
２５  蓋
２６  棒状体
２７  通常の長さのネックレス
２８  従来のネックレス用ケース
２９  従来の中板
【図１】
0003184530.tif 000003
【図２】
0003184530.tif 000004
【図３】
0003184530.tif 000005
【図４】
0003184530.tif 000006
【図５】
0003184530.tif 000007
【図６】
0003184530.tif 000008
【図７】
0003184530.tif 000009
【図８】
0003184530.tif 000010
【図９】
0003184530.tif 000011
【図１０】
0003184530.tif 000012
【図１１】
0003184530.tif 000013
【図１２】
0003184530.tif 000014
【図１３】
0003184530.tif 000015
【図１４】
0003184530.tif 000016
【図１５】
0003184530.tif 000017
【図１６】
0003184530.tif 000018
【図１７】
0003184530.tif 000019
【図１８】
0003184530.tif 000020